(57)【要約】【課題】位相変調信号と搬送波との位相ずれを解消する調整値を装置使用条件に応じて設定する。【解決手段】ディスク面上ウォブルに基づいて生成された位相変調信号から搬送波を生成する搬送波生成回路１８と、位相変調信号と搬送波を比較して位相復調を行う同期検波回路２７とを有し、記録速度設定手段２５において基準記録線速度の定数倍の速度を選択して複数の記録線速度から１つの記録線速度を設定するとともに、メモリ２６に記憶されている位相微調整量に基づいて前記選択した記録線速度に対応する位相補正量を位相調整回路２４に出力し、位相調整回路２４において位相補正量に基づいて搬送波の位相を補正して同期検波回路２７に出力する。【選択図】    図３
2004318997.tif 000002
【特許請求の範囲】
【請求項１】
ディスク面上の溝をウォブルさせて２相位相変調方式を用いた位置情報を記録している光ディスクに対して、光ディスク面内の所望の位置に情報を記録する光ディスク装置であって、
前記ウォブルに基づいて生成された位相変調信号から搬送波を生成する搬送波生成手段と、
基準記録線速度の定数倍の関係にある複数の記録線速度から１つの記録線速度を選択して設定する記録速度選択手段と、
この記録速度選択手段によって選択された記録線速度に対応して、位相変調信号と搬送波との位相を一致させるように搬送波の位相を調整するための位相微調整量を設定する設定手段と、
前記位相微調整量に基づいて搬送波の位相を調整する位相調整手段と、
前記位相調整手段から出力された搬送波と位相変調信号とを入力し、搬送波と位相変調信号との位相を比較して位相変調信号を復調する同期検波手段と、
を備えたことを特徴とする光ディスク装置。
【請求項２】
位相微調整量を保存するメモリ手段を有することを特徴とする請求項１記載の光ディスク装置。
【請求項３】
前記同期検波手段に搬送波に対して９０度の位相差をもちかつ位相が微調整可能な位相比較信号と前記位相変調信号との乗算演算を行う乗算器を備え、前記位相比較信号の位相を変化させながら前記乗算器の出力レベルを検出し、前記乗算器の出力レベルが大きく変化した時の変化量を搬送波の位相微調整量として決定することを特徴とする請求項１または２記載の光ディスク装置。
【請求項４】
前記同期検波手段の出力信号を異なるタイミングで積分する複数の積分回路と、前記積分回路の出力値を所定の時間間隔で所定数取得し、それら出力値のばらつき量に対する平均値を求める演算手段と、この演算手段の演算結果に応じて前記位相微調整量を決定することを特徴とする請求項１または２記載の光ディスク装置。
【請求項５】
一つの記録速度に対応した搬送波の位相微調整量を予め設定し、他の記録速度における搬送波の位相微調整量を、動作時において前記位相微調整量を所定量オフセットさせて決定することを特徴とする請求項１〜４のいずれか１項記載の光ディスク装置。
【請求項６】
請求項２記載の光ディスク装置の製造するため製造工程において、搬送波の位相を微調整するための位相微調整量の値を予め求めて前記メモリ手段に記憶させ、動作時に前記メモリに保持した位相微調整量の値を用いることを特徴とする光ディスク装置の調整方法。
【請求項７】
前記同期検波手段に備えられ、前記位相変調信号と、搬送波に対して９０度の位相差をもち位相が微調整可能な位相比較信号との乗算演算を行う乗算器の出力レベルを、前記位相比較信号の位相を変化させながら検出し、前記出力レベルが大きく変化した時の変化量を搬送波の位相微調整量として決定することを特徴とする請求項６記載の光ディスク装置の調整方法。
【請求項８】
前記同期検波手段の出力信号を異なるタイミングで積分する複数の積分回路と、前記積分回路の出力値を所定の時間間隔で所定数取得し、それら出力値のばらつき量に対する平均値を求める演算手段とを有し、前記演算結果に応じて前記位相微調整量を決定することを特徴とする請求項６記載の光ディスク装置の調整方法。
【発明の詳細な説明】
【０００１】
【発明の属する技術分野】
本発明は、ＤＶＤ等、高密度な記録系光ディスクを適用する光ディスク装置およびその調整方法に関し、特に、位相復調回路における位相変調信号と搬送波との位相ずれ検出およびずれ調整に関するものである。
【０００２】
【従来の技術】
従来におけるこの種の技術としては、特許文献１〜４に記載されたものがある。
【０００３】
特許文献１には、ＤＰＳＫ（２相位相変調信号）の一般的復調回路ブロックについて記載されており、特に、位相変調信号からキャリア信号を抽出し、位相変調信号とキャリア信号との位相を比較する技術について記載されている。
【０００４】
特許文献２には、ＶＣＯ以外をデジタル回路で構成したＱＰＳＫ位相復調回路について記載されている。
【０００５】
特許文献３には、ウォブルに位相変調を施す方法について記載されている。
【０００６】
特許文献４には、位相比較信号とウォブリング信号との乗算器による乗算結果に基づき位相差を検出することで、周波数が変化した場合など搬送波検出系とウォブリング信号検出系との遅延量に差が発生した場合にも、搬送波とウォブリング信号の位相ずれを検出できるようにした点について記載されている。
【０００７】
【特許文献１】
特公平６−１９８９８号公報
【特許文献２】
特許第２８９３４９６号公報
【特許文献３】
特開平１０−６９６４６号公報
【特許文献４】
特開２００１−１２６４１３号公報
【０００８】
【発明が解決しようとする課題】
記録系の光ディスクでは、一般的に、あらかじめ製造時に各半径位置における線速度を正確に検出するために、ＣＬＶ回転制御を行った時にウォブル信号周波数が一定になるようにトラックをウォブリングさせるフォーマットを採用している。また未記録領域での記録位置が特定できるようにアドレス情報も必要であり、特許文献３に示されているようにアドレス情報を位相変調してウォブルを形成する方法が考えられている。
【０００９】
この位相変調方法もさらに細かく方式を分類できるが、光ディスクから得られる信号は品質が悪いため、比較的高いＳ／Ｎを得ることができる２相位相変調方式（ＢＰＳＫまたはＤＰＳＫ、０度と１８０度の２値変調）が最も適している。
【００１０】
この位相変調されたウォブルから得られた位相変調信号（ウォブリング信号）の復調回路としては、特許文献１に示されているアナログ的方式や、特許文献２に示されているデジタル的な方式がある。これらは位相変調信号をもとに、その位相情報が重畳されている搬送波を後段のＰＬＬなどで生成し、両者の位相差（ＢＰＳＫの場合は０度または１８０度）を検出し、位相変調情報を復調している。
【００１１】
しかし、位相変調信号の本来の搬送波成分とＰＬＬで生成した搬送波との間に位相ずれが発生すると、位相復調の性能が落ち、誤検出が頻繁に発生するようになる。また、これらの特許文献１，２はカメラや通信の分野で用いられている方式であり、光ディスクでは以下の問題がある。
【００１２】
光ディスクにおけるデータ記録後の領域では非常に低い信号品質しか得られない。このため、位相変調信号をＢＰＦなどのフィルタを通過させたあと、その信号をもとにＰＬＬなどで生成された信号から復調に必要な搬送波を生成することが行われる。しかし、このフィルタは、外乱となる位相変調成分やノイズ成分を効率よく除去するため、位相変化（遅延）の発生しやすい構成となる。また、特にＢＰＦの中心周波数は素子ごとのばらつきがある程度出てしまい、それがそのまま位相遅れとなって装置毎に復調信号のばらつきが発生する要因となる。
【００１３】
また、最近の光ディスク装置では複数の記録速度をサポートしていることが多いが、記録速度によって搬送波周波数が変わるため、位相遅れの影響が速度によって変わってくるという問題がある。特許文献４では搬送波の位相変化をキャンセルするように搬送波の位相を制御する方法が提案されている。しかし、ドライブの実動作ではシーク動作等によりこの制御はＯＮ／ＯＦＦを繰り返さなくてはならないため、位相補正制御を開始するにはまず位相変調信号を復調して位置情報が読めないとシーク動作は完了しない。したがって、常にある固定した位相補正値で復調信号が安定して得られる必要がある。
【００１４】
そこで本発明は、上記位相ずれを解消する調整値を装置使用条件に応じて設定し、常に良好な復調性能を得ることを実現した光ディスク装置およびその調整方法を提案することを目的とする。
【００１５】
【課題を解決するための手段】
前記目的を達成するため、請求項１に係る発明は、ディスク面上の溝をウォブルさせて２相位相変調方式を用いた位置情報を記録している光ディスクに対して、ディスク面内の所望の位置に情報を記録する光ディスク装置であって、前記ウォブルに基づいて生成された位相変調信号から搬送波を生成する搬送波生成手段と、基準記録線速度の定数倍の関係にある複数の記録線速度から１つの記録線速度を選択して設定する記録速度選択手段と、この記録速度選択手段によって選択された記録線速度に対応して、位相変調信号と搬送波との位相を一致させるように搬送波の位相を調整するための位相微調整量を設定する設定手段と、前記位相微調整量に基づいて搬送波の位相を調整する位相調整手段と、前記位相調整手段から出力された搬送波と位相変調信号とを入力し、搬送波と位相変調信号との位相を比較して位相変調信号を復調する同期検波手段と、を備えたことを特徴とする。このように構成したことにより、光ディスク装置のサポートするそれぞれの記録線速度について最適な位相微調整量を設定することが可能になり、どの記録速度でも安定して位相変調信号の復調ができるようになる。
【００１６】
請求項２に係る発明は、請求項１に係る発明において、位相微調整量を保存するメモリ手段を有することを特徴とする。このように構成したことにより、装置毎に位相微調整量を調整してメモリ手段に記憶することにより、ＢＰＦの中心周波数ばらつき等による装置毎の復調性能のばらつきを低減し、どの装置でも安定して記録再生することができる。
【００１７】
請求項３に係る発明は、請求項１または２に係る発明において、前記同期検波手段に搬送波に対して９０度の位相差をもちかつ位相が微調整可能な位相比較信号と前記位相変調信号との乗算演算を行う乗算器を備え、前記位相比較信号の位相を変化させながら前記乗算器の出力レベルを検出し、前記乗算器の出力レベルが大きく変化した時の変化量を搬送波の位相微調整量として決定することを特徴とする。このように構成したことにより、搬送波と９０度の位相差をもつ位相比較信号とウォブリング信号との乗算結果に基づいて位相微調整量を決定する、という比較的容易に実現可能なデジタル回路構成で、位相変調信号を搬送波との位相差を補正することが可能となり、安定した位相復調信号を得ることができる。
【００１８】
請求項４に係る発明は、請求項１または２に係る発明において、前記同期検波手段の出力信号を異なるタイミングで積分する複数の積分回路と、前記積分回路の出力値を所定の時間間隔で所定数取得し、それら出力値のばらつき量に対する平均値を求める演算手段と、この演算手段の演算結果に応じて前記位相微調整量を決定することを特徴とする。このように構成したことにより、同期検波手段の出力信号を積分した値のばらつきに対する平均値を求めることで、位相微調整量を復調性能に基づいてより正確に決定することができ、安定した記録再生することができる。
【００１９】
請求項５に係る発明は、請求項１〜４のいずれか１項に係る発明において、一つの記録速度に対応した搬送波の位相微調整量を予め設定し、他の記録速度における搬送波の位相微調整量を、動作時において前記位相微調整量を所定量オフセットさせて決定することを特徴とする。このように構成したことにより、ある特定の記録速度においてのみ位相微調整量を求めるだけなので製造工程でのタクト時間を短縮できる。
【００２０】
請求項６に係る発明は、請求項２記載の光ディスク装置の製造するため製造工程において、搬送波の位相を微調整するための位相微調整量の値を予め求めて前記メモリ手段に記憶させ、動作時に前記メモリに保持した位相微調整量の値を用いることを特徴とする。このように構成したことにより、同期検波手段の出力信号を積分した値のばらつきに対する平均値を求めることで、位相微調整量を復調性能に基づいてより正確に決定することができ、安定した記録再生光動作が可能になるように光ディスク装置を製造時に調整できる。
【００２１】
請求項７に係る発明は、請求項６に係る発明において、前記同期検波手段に備えられ、前記位相変調信号と、搬送波に対して９０度の位相差をもち位相が微調整可能な位相比較信号との乗算演算を行う乗算器の出力レベルを、前記位相比較信号の位相を変化させながら検出し、前記出力レベルが大きく変化した時の変化量を搬送波の位相微調整量として決定することを特徴とする。このように構成したことにより、搬送波と９０度の位相差をもつ位相比較信号とウォブリング信号との乗算結果に基づいて位相微調整量を決定する、という比較的容易に実現可能なデジタル回路構成で、位相変調信号を搬送波との位相差を補正することが可能となり、安定した位相復調信号を得るように光ディスク装置を製造時に調整できる。
【００２２】
請求項８に係る発明は、請求項６に係る発明において、前記同期検波手段の出力信号を異なるタイミングで積分する複数の積分回路と、前記積分回路の出力値を所定の時間間隔で所定数取得し、それら出力値のばらつき量に対する平均値を求める演算手段とを有し、前記演算結果に応じて前記位相微調整量を決定することを特徴とする。このように構成したことにより、同期検波手段の出力信号を積分した値のばらつきに対する平均値を求めることで、位相微調整量を復調性能に基づいてより正確に決定することができ、安定した記録再生光動作が可能になるように光ディスク装置を製造時に調整できる。
【００２３】
【発明の実施の形態】
以下、本発明の実施形態について、図面を参照しながら詳細に説明する。
【００２４】
図１は本発明の実施形態における装置の概略図である。
【００２５】
光源１から出射された光は、カップリングレンズ２、ビームスプリッタ３、１／４波長板４、対物レンズ５等の光学系を経て光ディスク６上の記録面７に集光される。記録面７での反射光は再び上述の光学系に戻り、ビームスプリッタ３を通過し、集光レンズ８によって受光素子９上に集光されて電気信号に変換される。受光素子９の出力は、通常、Ｉ／Ｖアンプ１０で電流から電圧に変換され各種演算が行われるが、電流のまま演算を行う場合もある。また、通常、受光素子９およびＩ／Ｖアンプ１０は複数に分割されており、各受光面およびＩ／Ｖアンプ１０の出力に基づいて、光ディスク６の記録面７と光スポット焦点との距離を表すフォーカスエラー信号や、記録面７上にあるトラックと光スポットの位置を示すトラックエラー信号、光ディスク６の記録面７上に記録されている情報を検出するＲＦ信号などが生成される。フォーカスエラー信号とトラックエラー信号は、サーボ回路１３において演算され、それらの位置データから機構系１４を駆動して光スポットを目標位置に移動させる。また記録面７上の情報は再生回路１２においてＲＦ信号に演算され後段の信号処理（図示せず）へ送られる。
【００２６】
ウォブルを検出して同期変調信号を得る場合、受光素子９の分割形状によってウォブルの検出方法が異なるが、特に、本実施形態で使用する同期変調信号は再生信号から得られるものとする。最も簡易な例は、トラックに沿った受光素子分割線左右の差分から得られるプッシュプル信号（トラックエラー信号の一つである）から検出するものである。以下、サーボ回路１３から出力されたプッシュプル信号をもとに復調回路１５が動作するという前提で説明する。
【００２７】
図２は復調回路における各種の信号波形を示す説明図、図３は第１実施形態における復調回路の構成を示すブロック図であり、１６はＢＰＦ、１７はＰＬＬ、１８は、ＢＰＦ１６およびＰＬＬ１７を有し、搬送波を出力する搬送波生成回路、１９はＬＰＦ、２０は乗算器、２１は積分器、２２はサンプリング回路、２７は、ＬＰＦ１９、乗算器２０、積分器２１、サンプリング回路２２を有し、位相復調情報を出力する同期検波回路を示す。
【００２８】
まず、光ディスク６のウォブルから得られた位相変調信号から位相変調成分を抽出するためには、位相変調信号と同じ周波数、位相で変調が施されていない搬送波を生成する必要がある。そこで、まず位相変調信号からノイズや位相変調成分を取り除くためにＢＰＦ１６などの帯域制限フィルタと、安定した信号を発生させるためのＰＬＬ１７とを有する搬送波生成回路１８を用いて搬送波を生成する。この搬送波は位相変調信号と同じ周波数で、位相も安定している。
【００２９】
そして、搬送波は位相調整回路２４によって位相調整されて、同期検波回路２７の乗算器２０に出力される。
【００３０】
また、位相変調信号からノイズ成分のみを除去するためにＬＰＦ１９を通過させ、乗算器２０において位相変調信号と位相調整回路２４の出力信号との乗算演算を行う。乗算器２０の出力信号から位相復調信号を得るための方法としては乗算器２０の出力信号を低域検出器２３に通す方法もあるが、本実施形態では、より安定して位相復調信号を得るために、乗算器２０の出力信号を積分器２１に通した後、サンプリング回路２２でレベル検出を行うことにより、位相復調情報を生成している。なお、実際には、搬送波生成回路１８および同期検波回路２７の前段に偏心やＰｕｓｈ−Ｐｕｌｌ信号振幅のアンバランス等の影響を軽減するために図示しないＡＧＣ（オートゲインコントロール）回路等が用いられることも多い。
【００３１】
図２には、位相変調が施されている位相変調信号と、搬送波、乗算器２０の出力信号および低域検出器２３の出力信号の波形が示されている。位相変調情報と低域検出器２３の出力信号とを比較すると分かるように、低域検出器２３の出力信号のレベルによって位相変調情報が再現される。基本的な位相復調動作は以上の通りである。
【００３２】
次に、位相調整回路２４における搬送波と位相変調信号との位相ずれを補正するための動作について説明する。
【００３３】
ところで、位相変調信号に含まれるノイズ成分や位相変調成分を除去するＢＰＦ１６は、周波数によって位相が変化しやすい。また、位相変調信号系にＬＰＦ１９だけでなく前述したＡＧＣ回路があるとその影響により位相変化が発生することもある。さらにＰＬＬ１７等によるデジタル信号的な遅延が発生することもありうる。このため搬送波と位相変調信号とに位相差が発生してしまう。この位相差は記録線速度が一定であれば位相調整回路２４にある一定の補正値を設定しておけば実使用上問題なく復調性能が得られる。しかし記録線速度が異なる場合はその影響が速度によって異なってくるため最適な位相補正量が異なってくる。
【００３４】
そこで、本実施形態による光ディスク装置では、記録速度毎に位相調整回路２４に設定する位相補正量を、装置の動作速度によって変更するように構成されている。光ディスクの記録速度は２×，４×といったように基準速度の倍数で表すことが一般的だが、これら装置のサポートしている記録速度毎に異なる最適な位相微調整量を不揮発性のメモリ２６に記憶しておき、記録速度設定手段２５に設定した記録速度に対応する位相微調整量をメモリ２６から読み出し、位相調整回路２４に出力する位相補正量を設定する。
【００３５】
そして、位相調整回路２４が記録速度設定手段２５からの位相補正量の情報信号に基づいて搬送波の位相を調整することにより、どの記録速度でも安定した復調性能を示すことができる。
【００３６】
さらに、これらの位相ずれ要因の中で、特に、ＢＰＦ１６の中心周波数ｆ０が構成素子（ＬＳＩ）ごとにあるばらつきを持ってしまうことが多く、それにより装置毎に最適な位相微調整量が異なってしまう。そこで、装置毎に装置の製造段階において位相微調整量の調整を行い、その結果をメモリ２６に記録しておく。そして、装置の実際の動作時に、メモリ２６に記録したパラメータに従って記録速度設定手段２５が位相調整回路に出力する位相補正量を設定することによって装置毎のばらつきなく安定した位相復調性能を発揮できるようになる。
【００３７】
例えば、ある基準となる記録速度でのみ位相微調整量をその製造過程において調整し、パラメータとしてメモリ２６に保存しておき、調整したときと異なる速度で動作するときはファームウェアにより位相微調整量を所定量ずらすことによって最適な位相補正量を設定することも可能である。
【００３８】
そして、上述したように、位相変調信号と位相調整回路２４において位相が調整された搬送波とを乗算器２０に入力し、乗算演算を行い、演算結果を積分器２１に入力する。この積分器２１の出力をサンプリング回路２２で読み取ることによって位相状態を判定し、同期検波と位相復調情報を検出している。すなわち、図４に示すように、タイミング信号が出力されたときの積分器２１のレベルを検出し、その検出レベルに応じて位相復調信号を生成する。なお、図３に示すブロック図では、積分器２１が１つであるが、複数の積分器を用いても良い。
【００３９】
次に、最適な位相微調整量を求める方法について説明する。
【００４０】
まず、位相調整回路２４において搬送波とは９０度位相の異なる信号を位相比較信号として発生させる。すなわち、搬送波がＳＩＮ波と仮定すると、位相比較信号はＣＯＳ波という関係である。この位相調整回路２４はアナログ回路の場合にはＰＬＬの回路に含んだ方が設計しやすい場合もある。位相比較信号とＬＰＦ１９を通過した位相変調信号とを乗算器２０で乗算すると、乗算結果から両者の位相ずれ９０＋α度の信号が得られる。このαという位相ずれは、生成した搬送波と位相変調信号との位相ずれと同じものである。
【００４１】
図５，図６は位相ずれ９０＋α度の信号例を示すものであり、図５は位相ずれが無い場合（α＝０）、図６は位相ずれが有る場合（α≠０）を示す。
【００４２】
図５から位相ずれの無い場合、すなわち位相変調信号のＬＰＦ１９通過後と位相比較信号との位相差が９０度であるので低域検出器２３の出力は０レベル、積分器２１の出力は０付近で、ある特定のレベルを基準に上下する。しかし図６のように位相ずれが有る場合、低域検出器２３の出力０からプラス側のあるレベル（位相変調信号が反転しているときはマイナス側）に変化し、積分器２１の出力はどんどん増加していく。したがって、この低域検出器２３の出力レベル、もしくは積分器２１の出力を検出することにより、αの値が算出可能となり、位相微調整量の最適値を取得することができる。
【００４３】
次に、最適な位相微調整量を求める他の方法について説明する。
【００４４】
この方法は、積分器２１のばらつきを評価して位相微調整量の最適値を求めるものである。２相位相変調方式においては、光ディスク６にデータが記録してあると高周波なデータ成分（ＲＦ成分）がノイズとなるため、ウォブル検出にとってより厳しい状況となる。これは記録中においても同様である。したがって光ディスクにおける位相変調信号は上述したノイズが多い状況でも如何に安定して位相反転を検出できるかが検出能力のポイントとなる。
【００４５】
そこで、積分器２１の出力のばらつき量と平均値を求め、その比を評価することで位相微調整量の最適値を求めるようにする。図４の積分器出力に示すように位相変調情報が０の場合と１の場合とにおいては位相復調信号の極性が異なる。この積分器２１の出力の絶対値レベルが大きく保たれているほど位相変調信号が正しく検出されていることになる。ばらつき評価のためには常に同じ極性の信号をサンプルする必要があるため、例えば同期信号の積分器２１の出力のみを一定回数サンプリングする。サンプリング回数はディスクの回転等による変動を吸収できるようになるべく多い方がよい。
【００４６】
図７は、位相変調信号の同期部の一つ目からＷＢＬ＃００，ＷＢＬ＃０１，……と表した場合に、同期領域にあたるＷＢＬ＃００とＷＢＬ＃０１の積分器出力をプロットしてなる分布図である。
【００４７】
例えば、ＤＶＤ＋ＲＷ等の位相変調信号では、ＷＢＬ＃００，ＷＢＬ＃０１，……，ＷＢＬ＃９２までであり、この９３個のウォブルで１周期になる。具体的には、同期部（図２の同期領域）がＷＢＬ＃００〜ＷＢＬ＃０３、データ部（図２のデータ領域）がＷＢＬ＃０４〜ＷＢＬ＃０７、位相一定領域部（図２の位相一定領域）がＷＢＬ＃０８〜ＷＢＬ＃０９２となっている。
【００４８】
図７における、ＷＢＬ＃００とＷＢＬ＃０１の平均値レベルとばらつき量の比を評価することによって実動作における復調性能が正しく求められ、この比の値が大きくなるように位相微調整量を決定することで高い復調性能が得られる。この平均値レベルとばらつき量の検出は、回路的に求めても良い、装置を動かすファームウェアで計算させることもできる。あるいは、積分器２１の出力とそのタイミング信号のみ装置から外部に出力させるようにし、外部調整治具によって求めるようにしてもよい。
【００４９】
【発明の効果】
以上、説明したように構成された本発明によれば、光ディスク装置のサポートするそれぞれの記録線速度について最適な位相調整量を設定することにより、どの記録速度でも安定して位相変調信号の復調ができるようになる。
【図面の簡単な説明】
【図１】本発明の実施形態における装置の概略図
【図２】本実施形態における復調回路の各種信号波形を示す波形図
【図３】本実施形態における復調回路の構成を示すブロック図
【図４】積分器の出力波形を示す波形図
【図５】搬送波と位相変調信号との位相ずれがない場合の低域検出器の出力波形および積分器の出力波形を示す波形図
【図６】搬送波と位相変調信号との位相ずれがある場合の低域検出器の出力波形および積分器の出力波形を示す波形図
【図７】位相変調信号の同期部の一つ目からＷＢＬ＃００，ＷＢＬ＃０１，……と表した場合に、同期領域にあたるＷＢＬ＃００とＷＢＬ＃０１の積分器出力をプロットしてなる分布図
【符号の説明】
１  光源
２  カップリングレンズ
３  ビームスプリッタ
４  １／４波長板
５  対物レンズ
６  光ディスク
７  記録面
８  集光レンズ
９  受光素子
１０  Ｉ／Ｖアンプ
１２  再生回路
１３  サーボ回路
１５  復調回路
１６  ＢＰＦ
１７  ＰＬＬ
１８  搬送波生成回路
１９  ＬＰＦ
２０  乗算器
２１  積分器
２２  サンプリング回路
２３  低域検出器
２４  位相調整回路
２５  記録速度設定手段
２６  メモリ
２７  同期検波回路
【図１】
2004318997.tif 000003
【図２】
2004318997.tif 000004
【図３】
2004318997.tif 000005
【図４】
2004318997.tif 000006
【図５】
2004318997.tif 000007
【図６】
2004318997.tif 000008
【図７】
2004318997.tif 000009